(57)【特許請求の範囲】
【請求項１】
ロープと貝にあけた孔に差し込み可能な細長の基材（１）が貝止め突起（２）と、第一ロープ止め突起（３）と、貝止め突起（２）よりも幅の狭い一又は二以上の抜け止部（４）を備え、貝止め突起（２）は基材（１）の軸方向端部（５）側から第一ロープ止め突起（３）側に突設され、抜け止部（４）は貝止め突起（２）の先端より先方に突設され、これら基材（１）、貝止め突起（２）、第一ロープ止め突起（３）、抜け止部（４）が樹脂で一体成型されたことを特徴とする貝係止具。
【請求項２】
請求項１記載の貝係止具において、貝止め突起（２）及び抜け止部（４）を抜け止部（４）の先端部が貝（６）の蝶つがい（６ａ）側の段差部（７）の外側まで突出する長さであることを特徴とする貝係止具。
【請求項３】
請求項１又は請求項２記載の貝係止具において、抜け止部（４）が直線状であるか、貝止め突起（２）の外面（２ａ）側又は内面（２ｂ）側に湾曲或は屈曲していることを特徴とする貝係止具。
【請求項４】
請求項１乃至請求項３のいずれかに記載の貝係止具に、第二ロープ止め突起（１３）が第一ロープ止め突起（３）と反対方向に突出して成型され、第二ロープ止め突起（１３）は第一ロープ止め突起（３）の根元に又は先端よりも内側に突設されたことを特徴とする貝係止具。
【請求項５】
請求項１乃至請求項４のいずれかに記載の貝係止具が多数本平行に間隔をあけて配置され、且つ多数本の貝係止具の軸方向両端部が剛性連結材（２１）で連結されて成型されたことを特徴とする集合貝係止具。
【請求項６】
請求項１乃至請求項４のいずれかに記載の貝係止具が多数本平行に間隔をあけて配置され、且つ多数本の貝係止具の基材（１）間がロール状に巻回可能な可撓性連結材（２５）で連結されて成型されたことを特徴とする連続貝係止具。
【請求項７】
請求項６記載の連続貝係止具が多数本平行に間隔をあけて配置され、且つ隣接する貝係止具の第一ロープ止め突起（３）と第二ロープ止め突起（１３）がロール状に巻回可能な可撓性連結材（２５）で連結されて成型されたことを特徴とする連続貝係止具。
【請求項８】
請求項６又は請求項７記載の連続貝係止具がロール状に巻かれたことを特徴とするロール状連続貝係止具。
【請求項９】
請求項６乃至請求項８のいずれかに記載の連続貝係止具がシート（１８）を宛がってロール状に巻かれて、巻層間にシート（１８）が介在されたことを特徴とするロール状連続貝係止具。
【発明の詳細な説明】
【技術分野】
【０００１】
本発明は帆立貝、真珠貝、牡蠣、その他の貝の養殖に使用されるピン状の貝係止具と、数十本の貝係止を一定間隔で成型した集合貝係止具と、数千〜数万本のロール状に巻回可能に連続成型した連続貝係止具と、連続貝係止具をロール状に巻いたロール状連続貝係止具に関するものである。
【背景技術】
【０００２】
帆立貝の養殖方法の一つとして図１８に示す耳吊養殖がある。これは海面近くに横向きに張った横ロープ（図示せず）に、帆立貝を取付けた縦ロープＣを縦向きに取り付けて海中に吊るす方法である。縦ロープＣへの帆立貝の取付けにはピン状の貝係止具Ｄが使用されている。図１８に示す貝係止具は樹脂成型されており、細長な基材Ａの両端に貝止め突起Ｇがあり、その内側にロープ止め突起Ｅがある。貝係止具は縦ロープＣに差し込み、貝Ｂにあけた孔に差し込んで貝Ｂを貝止め突起Ｇに係止する（特許文献１）。
【０００３】
【特許文献１】特開２００４−２０８６１９
【発明の開示】
【発明が解決しようとする課題】
【０００４】
海中に吊られた貝が波を受けて貝係止具Ｄを軸として回転したり、揺れたりすると、貝係止具Ｄの貝止め突起Ｇが捩れて基材Ａの窪み（寝床）Ｉの上に倒伏し、貝Ｂが貝係止具Ｄの貝止め突起Ｇを乗り越えて矢印ａ方向に抜け落ちることがあり、養殖の歩留りが低下し、養殖業者の収益が減収する。
【課題を解決するための手段】
【０００５】
本発明は、貝止め突起が切断したり、倒伏したりしにくく、貝が抜け落ちないようにした貝係止具を提供するものである。
【０００６】
本発明の請求項１記載の貝係止具は、ロープと貝にあけた孔に差し込み可能な細長の基材１が貝止め突起２と、第一ロープ止め突起３と、貝止め突起２よりも幅の狭い一又は二以上の抜け止部４を備え、貝止め突起２は基材１の軸方向端部５側から第一ロープ止め突起３側に突設され、抜け止部４は貝止め突起２の先端より先方に突設され、これら基材１、貝止め突起２、第一ロープ止め突起３、抜け止部４が樹脂で一体成型されたものである。
【０００７】
本発明の請求項２記載の貝係止具は、請求項１記載の貝係止具において、貝止め突起２及び抜け止部４を抜け止部４の先端部が貝６の蝶つがい６ａ側の段差部７の外側まで突出する長さとしたものである。
【０００８】
本発明の請求項３記載の貝係止具は、請求項１又は請求項２記載の貝係止具において、抜け止部４が直線状であるか、貝止め突起２の外面２ａ側又は内面２ｂ側に湾曲或は屈曲しているものである。
【０００９】
本発明の請求項４記載の貝係止具は、請求項１乃至請求項３のいずれかに記載の貝係止具に、第二ロープ止め突起１３が第一ロープ止め突起３と反対方向に突出して成型され、第二ロープ止め突起１３は第一ロープ止め突起３の根元に又は先端よりも内側に突設されたものである。
【００１０】
本発明の請求項５記載の集合貝係止具は、請求項１乃至請求項４のいずれかに記載の貝係止具が多数本平行に間隔をあけて配置され、且つ多数本の貝係止具の軸方向両端部が剛性連結材２１で連結されて成型されたものである。
【００１１】
本発明の請求項６記載の連続貝係止具は、請求項１乃至請求項４のいずれかに記載の貝係止具が多数本平行に間隔をあけて配置され、且つ多数本の貝係止具の基材１間がロール状に巻回可能な可撓性連結材２５で連結されて成型されたものである。
【００１２】
本発明の請求項７記載の連続貝係止具は、請求項６記載の連続貝係止具が多数本平行に間隔をあけて配置され、且つ隣接する貝係止具の第一ロープ止め突起３と第二ロープ止め突起１３がロール状に巻回可能な可撓性連結材２５で連結されて成型されたものである。
【００１３】
本発明の請求項８記載のロール状連続貝係止具は、請求項６又は請求項７記載の連続貝係止具がロール状に巻かれたものである。
【００１４】
本発明の請求項９記載のロール状連続貝係止具は、請求項６乃至請求項８のいずれかに記載の連続貝係止具がシート１８を宛がってロール状に巻かれて、巻層間にシート１８が介在されたものである。
【発明の効果】
【００１５】
本発明の請求項１記載の貝係止具は、貝止め突起にその先端部よりも先まで突出する抜け止部を一又は二以上備えているので、海中に吊るした貝が海中で回転したり揺れたりしても、貝止め突起及び抜け止部は回転せず、貝が空転し易くなるため、貝止め突起が基材の寝床に倒伏したり、根元から切断したりすることが無く、貝が貝係止具から脱落することが無い。また、抜け止部が薄いか又は細いため海中で曲がり易く、曲がれば、貝の脱落防止により効果的である。抜け止部が二以上ある場合は一本の場合よりも貝が脱落しにくくなる。
【００１６】
本発明の請求項１記載の貝係止具の抜け止部は、貝止め突起よりも幅の狭い薄片か、細い紐状又は線状であるため、貝の孔内への基材及び貝止め突起の差し込み時に抜け止部が邪魔にならない。
【００１７】
本発明の請求項２記載の貝係止具は、貝止め突起及び抜け止部を抜け止部の先端部が貝の蝶つがい側の段差部の外側まで突出する長さにしたので、貝が回転しても抜け止部及び貝止め突起が貝の蝶つがい側の段差に引っ掛からず、貝止め突起及び抜け止部は回転せず貝が空転する。このため、抜け止部及び貝止め突起は捩れず、貝止め突起が基材の寝床に倒伏したり、根元から切断したりすることが無く、貝が貝係止具から脱落することが無い。抜け止部が長ければ海中で曲がり易くなり、曲がれば、より一層、貝が脱落しにくくなる。
【００１８】
本発明の請求項３記載の貝係止具は、抜け止部が直線状であるか、貝止め突起の外面側又は内面側に湾曲或は屈曲しているため、いずれの場合も前記の場合と同様に脱落防止効果があり、湾曲或は屈曲している場合は、直線の場合よりも一層貝が脱落しにくくなる。
【００１９】
本発明の請求項４記載の貝係止具は、貝係止具の基材に第二ロープ止め突起を第一ロープ止め突起と反対方向に突設して成型し、第二ロープ止め突起を第一ロープ止め突起の根元又は先端よりも内側に突設したので、第一ロープ止め突起の傾斜角度θを図１９（ｂ）のように小さくして、ロープ止め突起Ｅの根元間の間隔Ｍを図１９（ａ）の間隔ｍより広くしても、ロープに差し込まれた貝係止具のスライド幅（左右へのずれ幅）が第二ロープ止め突起により規制されて小さくなり、貝係止具が位置ずれしにくくなる。このため、第一ロープ止め突起がロープへ衝突しにくくなり、第一ロープ止め突起の折損が無く、貝係止具がロープから抜けて脱落することがなく、養殖貝の歩留まりが向上する。
【００２０】
本発明の請求項５記載の集合貝係止具は、前記貝係止具を多数本平行に間隔をあけて配置し、且つ多数本の貝係止具の軸方向端部を剛性連結材で連結して成型したので、多数枚を横向きにして上下に重ねたり、縦向きにして前後或は左右に並べたりして、切断差し込み機（通称：ピンセッター）にセットして、貝係止具を１本ずつ切断しながらロープに差し込むことができ、ロープへの差し込みが自動化され、作業性が向上する。この場合、多数本の貝係止具を同じ向きにして連結すれば、一本ずつ分離してロープに差し込む場合に貝係止具の方向が揃い、ロープへの差し込み、貝への差し込みなどの作業がし易くなる。剛性連結材での連結であるため、集合貝係止具をピン自動切断差し込み機にセットして一本ずつ切断して差し込むときに、集合貝係止具を自動送りしても隣接する貝係止具の間隔や集合貝係止具全体の形状が変化することが無く、切断、差し込み作業が安定する。
【００２１】
本発明の請求項６、７記載の連続貝係止具は、前記貝係止具を多数本平行に間隔をあけて配置し、且つ多数本の貝係止具の基材間をロール状に巻回可能な可撓性連結材で連結したので次のような効果がある。
（１）貝係止具が数千、数万本と多くなっても、ロール状に巻回して保管、搬送、ピンセッターへのセットができ、コンパクトにまとまるため保管に場所をとらず取り扱いに便利である。
（２）可撓性連結材を薄肉片にすれば貝係止具の分離が容易になり、ロール状に巻き易くもなる。数十ｍ以上長く連続成型された連結貝係止具は、保管や運搬の仕方によっては貝係止具のロープ止め突起同士が絡まったり、貝止め突起同士が絡まったり、基材の端部が曲がったりして、引き出しにくいとか、一本ずつ分離しにくくなることがあるが、保護シートがあるためそのようなことはない。
【００２２】
本発明の請求項８記載のロール状連続貝係止具は、前記連続貝係止具に巻いたので次のような効果がある。
連続貝係止具をボビンにロール状に巻いたロール状連続貝係止具の場合は、ボビンを回転軸にセットして連結貝係止具をボビンから引き出すことができるため、ボビンの回転が円滑になり、貝係止具の１本ずつの切断、切断した貝係止具のロープへの差し込みがスムースに行われる。ボビンに鍔があるため貝係止具をロール状に巻いた鍔を重ねて保管したり、収納したりすることができ、取り扱いに便利である。
【００２３】
本発明の請求項９記載のロール状連続貝係止具は、保護シートを介在させてロール状に巻いたため、連結されている多数の貝係止具同士が絡まり合うことがなく、連結貝係止具の巻き戻し(引き出し)がスムースになり、自動ピンセッターなどへのセットが容易になり、使い易くなる。
【発明を実施するための最良の形態】
【００２４】
（貝係止具の実施の形態１）
本発明の貝係止具の実施の形態を図１〜図３（ａ）（ｂ）を参照して説明する。この図の貝係止具は海中に吊るす縦ロープ及び貝６の耳にあけた孔６ｂに差し込み可能なピン形状の基材１のほぼ中央部にロープ止め突起３が２本突設され、ロープ止め突起３よりも外側の両端部（差し込み端部）５寄りには貝の抜けを規制する貝止め突起２が突設され、貝止め突起２の先に一又は二以上の抜け止部４が突設されている。これら基材１、貝止め突起２、ロープ止め突起３、抜け止部４が一体に樹脂成型されている。
【００２５】
基材１の形状は丸ピン、角ピン、他の形状のピンとすることができる。基材１は両端部（差し込み端部）５を先細りに成型して貝６の孔６ｂに差し込み易くしてある。基材１のうち貝止め突起２と対向する内面には、基材１の中央部の外周面よりも一段低い凹部（寝床）１０を設けて、貝止め突起２をその根元部分から基材１側に押し倒すと、貝止め突起２が寝床１０内に伏して倒れ（倒伏し）て、貝止め突起２と寝床１０が重なって輪郭が円形になるようにしてある。これにより貝止め突起２は貝係止具を基材１の軸方向一端から縦ロープに差し込むときも、貝の耳にあけた孔に差し込むときも、押し倒されて寝床１０内に倒れて貝止め突起２が縦ロープ内を貫通し易くなる。また、差し込み時に倒れた貝止め突起２は縦ロープを貫通し終えたときも、貝の孔を貫通し終えたときも、自己の弾性と復元力で自動的に起立して倒れる前の元の状態に復元できるようにしてある。
【００２６】
ロープ止め突起３は縦ロープに差し込んだ貝係止具が縦ロープから抜けるのを阻止するためのものであり、基材１の外周の同方向に二本突設され、互いに内向き斜めに突設されてハ字状になっている。図１のロープ止め突起３は基材１の長手方向中央部の外径よりもやや細い丸棒状であるが、それ以外の形状、例えば、三角や四角の棒状とか、楕円形の棒状等であってもよく、太さもそれ以外であってもよい。二本の貝止め突起２は図８（ａ）のように互いに反対方向に斜めに突設することも、図８（ｂ）のように互いに同じ方向であるが、貝止め突起２とは反対方向に突設することもできる。また、これら以外の突出とすることもできる。貝止め突起２は、図９のように基材１の両端の夫々に、２本ずつ反対方向に突設することもできる。
【００２７】
貝止め突起２は図２（ａ）に明示するように、その立ち上がり部分（根元部分）側から先端部まで斜め外側に向けて突設され、更に、外面２ａ側に反り返るよう湾曲させて、貝止め突起２に係止された貝が抜けにくくなるようにしてある。また、図２（ａ）のように貝止め突起２の根元内側部分２ｄは円弧状に湾曲させて、貝止め突起２に貝の荷重が加わってもその荷重が貝止め突起２の根元内側部分２ｄに伝わりにくくなって、根元内側部分２ｄが切れにくくなるようにしてある。図２（ａ）（ｂ）の貝止め突起２は薄板状に成型されているが、貝止め突起２は倒伏・復元可能な弾性のある丸棒状とか外面が円弧状の半円形とか、その他の形状とすることもできる。貝止め突起２は図９のように、基材１の端部反対方向に２枚ずつ突設することもできる。この場合は夫々の貝止め突起２に抜け止部４を設けてもよく、片側の貝止め突起２のみに抜け止部４を設けてもよい。
【００２８】
抜け止部４は貝６の脱落を防止するためのものである。抜け止部４は基材１及び貝止め突起２とともに貝６の孔６ｂに差し込んで貫通させるものであり、その差し込み時に障害とならないように、薄片、細片、細紐、細糸といった形状にすることができる。図２（ａ）（ｂ）では丸紐にして、貝止め突起２の延長線上に直線状に突設してあるが、図３（ａ）のように貝止め突起２の湾曲に沿って外側に湾曲させてもよく、図３（ｂ）のように貝止め突起２の延長線上で内側に湾曲させることもできる。湾曲ではなく屈曲させることもできる。抜け止部４は図２（ｂ）では貝止め突起２の幅方向中央部から突出させてあるが、貝止め突起２の幅方向両端側に突出させるとか、貝止め突起２と同じ幅で突出させることもできる。抜け止部４は図４（ａ）〜（ｃ）のように、貝６の蝶つがい６ａ側の段差部７の外側まで突出する長さにしてある。抜け止部４は貝止め突起２に二本以上設けることもできる。この場合は、図５（ｃ）のように貝止め突起２の幅方向に間隔をあけて設けてもよく、図５（ｄ）のように貝止め突起２の肉厚方向に間隔をあけて設けてもよい。
【００２９】
（貝係止具の実施の形態２）
本発明の実施の形態２の貝係止具は図１０（ａ）のように、基材１の第一ロープ止め突起３の反対側に第二ロープ止め突起１３を突設したものでもよい。第二ロープ止め突起１３は第一ロープ止め突起３よりも短くしてあり、第一ロープ止め突起３の根元の内側で、第一ロープ止め突起３の先端とほぼ同じ位置に同じ間隔で突設されている。
【００３０】
（貝係止具の実施の形態３）
本発明の実施の形態３の貝係止具は図１１（ａ）のように、基材１の第一ロープ止め突起３の内側を台形状に第一ロープ止め突起３側に突出させ、その凹陥部１５の内側に第二ロープ止め突起１３を突設したものでもよい。この場合も、第二ロープ止め突起１３は第一ロープ止め突起３よりも短くして凹陥部１５の内側に突出するか、凹陥部１５よりもわずかに外側まで突出する程度の長さにしてある。また、突設位置は第一ロープ止め突起３の根元の内側で、第一ロープ止め突起３の先端とほぼ同じ位置に突設されている。
【００３１】
（集合貝係止具の実施の形態１）
本発明の集合貝係止具の第１の実施形態を図１２に基づいて説明する。この集合貝係止具は図１の貝係止具を間隔をあけて多数本平行に配置し、それら貝係止具の両端をレール状の剛性連結材２１で連結して樹脂成型したものである。剛性連結材２１は角棒状であり、太くして剛性を持たせて、隣接する貝係止具の間隔を変形しにくくすると共に、全体も変形しにくくしてある。剛性連結材２１は角棒以外の形状とすることができる。
【００３２】
（集合貝係止具の実施の形態２）
本発明の集合貝係止具の第２の実施形態を図１３に基づいて説明する。この集合貝係止具の基本的形状は図１２の集合貝係止具と同じであり、異なるのは、各貝止め突起２の端部５を剛性連結材２１で連結すると共に、各貝止め突起２の先端部５と剛性連結材２１の間に、端部５よりも大径の円盤状の突起２３を設けたことである。この突起２３は集合貝係止具をピンセッターにセットして貝係止具を１本分ずつ移動させて、貝係止具を１本ずつ切断分離するときに、ギヤ送りするための係止部である。集合する貝係止具の本数は任意とすることができるが、作業性、形状保持性等の面から２０〜３０本程度が望ましい。
【００３３】
（連続貝係止具の実施の形態１）
本発明の連続貝係止具の第１の実施形態を図１４（ａ）に基づいて説明する。この連続貝係止具は図１の貝係止具を間隔をあけて数千〜数万本平行に配置し、それら貝係止具のロープ止め突起と貝止め突起の間を丸紐状の可撓性連結材２５で連結して樹脂成型して、ロール状に巻くことができるようにしてある。
【００３４】
（連続貝係止具の実施の形態２）
本発明の連続貝係止具の第２の実施形態を図１４（ｂ）に基づいて説明する。この連続貝係止具は図１の貝係止具を間隔をあけて数千〜数万本平行に配置し、それら貝係止具の２本のロープ止め突起３の間を薄い平紐の可撓性連結材２５で連結成型してロール状に巻くことができるようにしてある。可撓性連結材２５は、ロール状に巻くことができるものであれば他の形状とすることができる。
【００３５】
（連続貝係止具の実施の形態３）
本発明の連続貝係止具の第３の実施形態を図１０（ｂ）に基づいて説明する。この連続貝係止具は図１０（ａ）の貝係止具を間隔をあけて数千〜数万本平行に配置し、それら貝係止具の第一ロープ止め突起３と第二ロープ止め突起１３の間を薄い片の可撓性連結材２５で連結成型してロール状に巻くことができるようにしたものである。可撓性連結材２５はロール状に巻くことができるものであれば他の形状とすることができる。
【００３６】
（連続貝係止具の実施の形態４）
本発明の連続貝係止具の第４の実施形態を図１１（ｂ）に基づいて説明する。この連続貝係止具は図１１（ａ）の貝係止具を間隔をあけて数千〜数万本平行に配置し、それら貝係止具の第一ロープ止め突起３と第二ロープ止め突起１３の間を薄い片の可撓性連結材２５で連結成型してロール状に巻くことができるようにしたものである。可撓性連結材２５はロール状に巻くことができるものであれば他の形状とすることができる。
【００３７】
（ロール状連続貝係止具の実施の形態）
本発明のロール状連続貝係止具は、前記した連続貝係止具２７を図１５（ａ）のようにロール状に巻いたものである。この場合、連結貝係止具２７に帯状のシート(シートより薄いフィルムを含む)１８を添わせてロール状に巻いて、連結貝係止具２７の間にシート１８を介在させてある。シート１８には障子紙のような帯状の紙とか、コピー用紙のような質、厚さの紙を帯状に長くしたものとか、帯状に長くした樹脂製のシート等を使用することができるが、使用後の廃棄処分の容易さから紙を使用するのが好ましい。シート１８は幅、長さ共に連結貝係止具２７のそれらと同程度のものが好ましいが、それより短いものを足しながら使用することもできる。本発明のロール状連続貝係止具はシート１８を介在させずに巻くこともできる。
【００３８】
本発明の連結貝係止具２７は図１５（ｂ）のように巻胴３１の両端に鍔３２を設けたボビン３３の巻胴３１にロール状に巻くこともできる。ボビン３３は肉厚の紙製、樹脂製、木製等とすることができる。紙製の場合は使い捨てに適し、樹脂製、木製等の場合は再使用するのに適する。ボビン３３に巻く連結貝係止具２７の間にはシート１８を介在させても、介在させなくともよい。
【００３９】
本発明の連結貝係止具の使用方法は種々あるが、一例としてはロール状に巻いた連結貝係止具２７をほどいてその一端を自動切断差し込み機にセットし、自動切断差し込み機により自動的に貝係止具１を一本ずつ切り離して縦ロープに差し込み、ロープ止め突起３で縦ロープから抜けないようにする。縦ロープに差し込んだ貝係止具の端部５を貝６の耳に開口してある孔６ｂに差し込んで、貝止め突起２をその孔６ｂを貫通させ、貝６の耳を貝止め突起２によって係止する。貝係止具の長手方向他端を同様に貝６の孔６ｂに差し込んで貝止め突起２に貝６の耳を係止する。
【図面の簡単な説明】
【００４０】
【図１】本発明の貝係止具の第一の実施例を示す正面図。
【図２】（ａ）は図１の貝係止具のＡ部詳細図、（ｂ）は（ａ）の左側面図。
【図３】（ａ）、（ｂ）は抜け止部の異なる例の突出説明図。
【図４】（ａ）は貝と抜け止部の位置関係を示す斜視説明図、（ｂ）は貝をロープに吊り下げた状態の側面説明図、（ｃ）は貝の正面図。
【図５】（ａ）、（ｂ）は貝係止具の異なる実施例を示す斜視図、（ｃ）、（ｄ）は本発明の貝係止具の更に異なる実施例を示す斜視図。
【図６】（ａ）は貝係止具の異なる実施例の側面図、（ｂ）は（ａ）の斜視図、（ｃ）は本発明の貝係止具の異なる実施例の斜視図。
【図７】（ａ）〜（ｃ）は貝係止具の異なる実施例の斜視図。
【図８】（ａ）、（ｂ）は本発明の貝係止具のロープ止め突起の異なる例の側面図。
【図９】本発明の貝係止具の貝止め突起の異なる実施例の側面図。
【図１０】（ａ）は本発明の貝係止具の異なる実施例の側面図、（ｂ）は（ａ）の貝係止具を連続成型した連続貝係止具の側面図。
【図１１】（ａ）は本発明の貝係止具の異なる実施例の側面図、（ｂ）は（ａ）の貝係止具を連続成型した連続貝係止具の側面図。
【図１２】本発明の集合貝係止具の一例の側面図。
【図１３】本発明の集合貝係止具の他の例の側面図。
【図１４】（ａ）、（ｂ）は本発明の連続貝係止具の異なる例の側面図。
【図１５】（ａ）は本発明のロール状連続貝係止具の一例の斜視図、（ｂ）はボビンに巻いたロール状連続貝係止具の一例の側面図。
【図１６】（ａ）〜（ｃ）は本発明の貝係止具の異なる例の斜視図、（ｄ）は（ｃ）の貝係止具の平面図。
【図１７】（ａ）〜（ｃ）は、図１６（ａ）〜（ｃ）の貝止め突起の屈曲部を肉薄にした状態の斜視図。
【図１８】従来の貝係止具の使用の一例の斜視図。
【図１９】（ａ）は従来の貝係止具の説明図、（ｂ）は本発明の貝係止具の説明図。
【符号の説明】
【００４１】
１    貝係止具
２    貝止め突起
２ａ  貝止め突起の外面
２ｂ  貝止め突起の内面
３    第一ロープ止め突起
４    抜け止部
４ａ  幅狭部分
５    端部
６    貝
７    連結片
９    落下防止突起
１０    寝床
１１    受け凹部
１２    折れ曲がり部
１３    第二ロープ止め突起
１５    凹陥部
１８    シート
２１    剛性連結材
２３    突起
２５    可撓性連結材
２７    連続貝係止具
３０    窪み部
３０ａ  幅狭部
３１    巻胴
３２    鍔
３３    ボビン
【要約】
【課題】  貝係止具の貝止め突起が倒伏してしまい、貝係止具に係止した貝が脱落することがあった。
【解決手段】  貝が貝止め突起から脱落しないようにするため、ロープと貝にあけた孔に差し込み可能な細長の基材１の貝止め突起２の先に、貝止め突起２よりも幅の狭い一又は二以上の抜け止部４を突設した。
【選択図】      図７
【図１】
0003694522.tif 000002
【図２】
0003694522.tif 000003
【図３】
0003694522.tif 000004
【図４】
0003694522.tif 000005
【図５】
0003694522.tif 000006
【図６】
0003694522.tif 000007
【図７】
0003694522.tif 000008
【図８】
0003694522.tif 000009
【図９】
0003694522.tif 000010
【図１０】
0003694522.tif 000011
【図１１】
0003694522.tif 000012
【図１２】
0003694522.tif 000013
【図１３】
0003694522.tif 000014
【図１４】
0003694522.tif 000015
【図１５】
0003694522.tif 000016
【図１６】
0003694522.tif 000017
【図１７】
0003694522.tif 000018
【図１８】
0003694522.tif 000019
【図１９】
0003694522.tif 000020